(57)【要約】【課題】  プリント設定操作中に記録媒体の交換が行われた場合であっても、記録媒体に対して良好にプリント注文ファイルを記録でき、また、プリント設定操作を正常に進めることのできるデジタルカメラを提供すること。【解決手段】  着脱可能な記録媒体に対して撮影画像を記録するように構成されるデジタルカメラ１において、操作部３０に対する操作が行われることによってメモリカード９０に記録された一つの画像に対してプリント設定が行われる都度、メモリカード９０に記録されるプリント注文ファイルが更新される。そしてＬＣＤ５に総プリント枚数やプリントに要する料金を表示する際、メモリカード９０に記録されたプリント注文ファイルを読み込み、そのプリント注文ファイルに記録された情報に基づいて表示する。【選択図】図３
2005218015.tif 000002
【特許請求の範囲】
【請求項１】
着脱可能な記録媒体に対して撮影画像を記録するデジタルカメラであって、
画像を表示する表示手段と、
入力操作を行うための操作部材と、
前記操作部材に対する操作が行われることによって前記記録媒体に記録された一つの画像に対するプリント設定が行われる都度、前記記録媒体に記録されるプリント注文ファイルを更新するプリント設定記録手段と、
前記プリント注文ファイルを読み込み、前記プリント注文ファイルに記録された情報に基づいて、前記表示手段に総プリント枚数を表示させる表示制御手段と、
を備えるデジタルカメラ。
【請求項２】
着脱可能な記録媒体に対して撮影画像を記録するデジタルカメラであって、
画像を表示する表示手段と、
入力操作を行うための操作部材と、
前記操作部材に対するプリント設定操作が行われることによって入力する入力情報に基づいて、前記記録媒体に対してプリント注文ファイルを記録するプリント設定記録手段と、
プリント設定操作が行われるときに、前記表示手段に対してプリント設定画面を表示し、前記プリント設定画面の表示中に前記記録媒体の交換が行われたときには、前記記録媒体の装着に連動して前記記録媒体に記録された前記プリント注文ファイルを読み込み、当該プリント注文ファイルに記録された情報に基づいて、前記プリント設定画面内に総プリント枚数を表示させる表示制御手段と、
を備えるデジタルカメラ。
【請求項３】
請求項１又は２に記載のデジタルカメラにおいて、
前記表示制御手段は、前記プリント注文ファイルに記録されるプリント種類ごとの総プリント枚数を、前記表示手段に表示させることを特徴とするデジタルカメラ。
【請求項４】
請求項２に記載のデジタルカメラにおいて、
前記表示制御手段は、前記記録媒体の装着に連動して前記プリント注文ファイルを読み込み、画像ごとのプリント情報に基づいて、総プリント枚数を計算することを特徴とするデジタルカメラ。
【請求項５】
請求項２に記載のデジタルカメラにおいて、
前記表示制御手段は、前記プリント設定画面の表示中に前記記録媒体が抜かれたときにも前記プリント設定画面の表示を継続することを特徴とするデジタルカメラ。
【請求項６】
請求項２、４又は５に記載のデジタルカメラにおいて、
前記プリント設定記録手段は、前記プリント設定画面の表示中に前記記録媒体が抜かれたときには、前記操作部材に対するプリント設定操作を無効にすることを特徴とするデジタルカメラ。
【請求項７】
請求項２、４、５又は６に記載のデジタルカメラにおいて、
前記表示制御手段は、前記記録媒体が装着されている場合に、前記表示手段に対してプリント設定画面を表示する際には、前記記録媒体に記録されている画像であってプリント設定操作の対象となる画像を、読み出して表示すること特徴とするデジタルカメラ。
【請求項８】
請求項７に記載のデジタルカメラにおいて、
前記表示制御手段は、前記記録媒体の装着に連動して、プリント設定操作の対象となる画像を読み出す際、前記記録媒体に画像が記録されていないときには、画像が存在しない旨の警告表示を行うことを特徴とするデジタルカメラ。
【請求項９】
着脱可能な記録媒体に対して撮影画像を記録するデジタルカメラであって、
画像を表示する表示手段と、
入力操作を行うための操作部材と、
前記操作部材に対する操作が行われることによって前記記録媒体に記録された一つの画像に対するプリント設定が行われる都度、前記記録媒体に記録されるプリント注文ファイルを更新するプリント設定記録手段と、
前記プリント注文ファイルを読み込み、前記プリント注文ファイルに記録された情報に基づいて、前記表示手段に対し、プリントに要する料金表示を行う表示制御手段と、
を備えるデジタルカメラ。
【請求項１０】
着脱可能な記録媒体に対して撮影画像を記録するデジタルカメラであって、
画像を表示する表示手段と、
入力操作を行うための操作部材と、
前記操作部材に対するプリント設定操作が行われることによって入力する入力情報に基づいて、前記記録媒体に対してプリント注文ファイルを記録するプリント設定記録手段と、
前記プリント設定操作が行われるときに、前記表示手段に対してプリント設定画面を表示し、前記プリント設定画面の表示中に前記記録媒体の交換が行われたときには、前記記録媒体の装着に連動して前記記録媒体に記録された前記プリント注文ファイルを読み込み、当該プリント注文ファイルに記録された情報に基づいて、前記プリント設定画面内に対してプリントに要する料金表示を行う表示制御手段と、
を備えるデジタルカメラ。
【請求項１１】
請求項９又は１０に記載のデジタルカメラにおいて、
前記表示制御手段は、プリント注文ファイルに記録されたプリントに関する情報と、前記記録媒体に記録された単価情報とに基づいて、プリントに要する料金を算出することを特徴とするデジタルカメラ。
【請求項１２】
請求項１１に記載のデジタルカメラにおいて、
前記単価情報は、プリント種類ごとに異なる単価が設定されていることを特徴とするデジタルカメラ。
【請求項１３】
請求項１０に記載のデジタルカメラにおいて、
前記表示制御手段は、前記プリント設定画面の表示中に前記記録媒体が抜かれたときにも前記プリント設定画面の表示を継続することを特徴とするデジタルカメラ。
【請求項１４】
請求項１０又は１３に記載のデジタルカメラにおいて、
前記プリント設定記録手段は、前記プリント設定画面の表示中に前記記録媒体が抜かれたときには、前記操作部材に対するプリント設定操作を無効にすることを特徴とするデジタルカメラ。
【請求項１５】
請求項１０、１３又は１４に記載のデジタルカメラにおいて、
前記表示制御手段は、前記記録媒体が装着されている場合に、前記表示手段に対してプリント設定画面を表示する際には、前記記録媒体に記録されている画像を読み出して表示すること特徴とするデジタルカメラ。
【請求項１６】
請求項１５に記載のデジタルカメラにおいて、
前記表示制御手段は、前記記録媒体の装着に連動して、プリント設定操作の対象となる画像を読み出す際、前記記録媒体に画像が記録されていないときには、画像が存在しない旨の警告表示を行うことを特徴とするデジタルカメラ。
【請求項１７】
着脱可能な記録媒体に撮影画像を記録するデジタルカメラであって、
画像を表示する表示手段と、
入力操作を行うための操作部材と、
前記操作部材により前記記録媒体に記録された一つの画像に対するプリント設定が行われる都度、前記記録媒体に記録されるプリント注文ファイルを更新するプリント設定記録手段と、
前記プリント注文ファイルを読み込み、前記プリント注文ファイルに記録された情報に基づいて、前記表示手段に注文内容を表示させる表示制御手段と、
を備えるデジタルカメラ。
【請求項１８】
着脱可能な記録媒体に対して撮影画像を記録するデジタルカメラであって、
画像を表示する表示手段と、
入力操作を行うための操作部材と、
前記操作部材を用いたプリント設定操作により入力する入力情報に基づいて、前記記録媒体にプリント注文ファイルを記録するプリント設定記録手段と、
プリント設定操作が行われるときに、前記表示手段にプリント設定画面を表示し、前記プリント設定画面の表示中に前記記録媒体の交換が行われたときには、前記記録媒体の装着に連動して前記記録媒体に記録された前記プリント注文ファイルを読み込み、当該プリント注文ファイルに記録された情報に基づいて、前記プリント設定画面内に注文内容を表示させる表示制御手段と、
を備えるデジタルカメラ。
【発明の詳細な説明】
【技術分野】
【０００１】
本発明は、撮影画像を記録するための記録媒体を着脱可能に構成されたデジタルカメラ（電子撮像装置）に関する。
【背景技術】
【０００２】
従来、記録媒体を着脱可能なデジタルカメラを用いて被写体を撮影した後、デジタルカメラを操作することによって記録媒体に記録された画像についてのプリント設定を行い、ＤＰＯＦ（Digital Print Order Format）（登録商標）ファイル等とよばれるようなプリント注文ファイルを記録媒体に記録する技術が存在する。このような技術によれば、ユーザはデジタルカメラからプリント注文ファイルの書き込まれた記録媒体を抜き取り、そのままプリントサービス店等に持ち込むことになる。プリントサービス店では、記録媒体に記録されたプリント注文ファイルを読み込み、そのファイルに含まれる画像ごとのプリント設定に基づいて記録媒体に格納された画像のプリント処理が行われる。
【０００３】
また、上記のようなデジタルカメラを用いて、画像に対するプリント設定を行う際、ユーザに総プリント枚数やプリントに要する料金等を表示するものもある（例えば、特許文献１）。
【０００４】
【特許文献１】特開平１１−１９６３５８号公報
【発明の開示】
【発明が解決しようとする課題】
【０００５】
しかし、従来のデジタルカメラは、一般に、記録媒体に格納された複数の画像に対するプリント設定操作が終了して、プリント設定を確定させるための操作が行われた時点で、記録媒体にプリント注文ファイルを記録したり、又は既に記録されているプリント注文ファイルを更新するようになっている。
【０００６】
そのため、プリント設定操作の途中の段階で、特許文献１に示されるように、総プリント枚数や料金等を表示したとしても、その情報は記録媒体のプリント注文ファイルに反映されていない場合があり、その段階で記録媒体の交換操作が行われてしまうと、それまでに入力されたプリント設定が記録媒体には記録されないという問題が生じることとなっていた。
【０００７】
また、記録媒体の交換が行われた後に確定操作が行われると、記録媒体交換前のプリント設定をも含めた状態でプリント注文ファイルが記録される可能性があった。この場合、当該記録媒体には記録されていない画像に対するプリント設定が記録されることになり、プリント設定と画像との対応関係に不整合を招き、正確なプリント処理ができなくなるという問題が生じていた。
【０００８】
また、記録媒体が交換された後にも、以前の記録媒体に対して設定された総プリント枚数や料金等が表示されていると、交換後の記録媒体には存在しない画像のプリント設定情報が表示されることとなり、現在装着されている記録媒体についての適切な情報を確認することができないという問題も生じることとなっていた。
【０００９】
以上のように、従来の、プリント設定を行うことが可能なデジタルカメラでは、プリント設定操作中に記録媒体の交換作業を行うと種々の問題が発生することから、そのような交換作業を行うことができるようには構成されていなかった。
【００１０】
さらに、従来のプリント設定を行うことが可能なデジタルカメラでは、プリント設定操作の途中で、電源電池（バッテリ）を消耗し尽くした場合にも、記録媒体にプリント注文ファイルを記録することができず、それまでのプリント設定操作が無駄になるという問題が生じていた。
【００１１】
そこで、本発明は、上記課題を解決するためになされたものであり、プリント設定操作中に記録媒体の交換が行われた場合であっても、記録媒体に対して良好にプリント注文ファイルを記録でき、また、プリント設定操作を正常に進めることのできるデジタルカメラを提供することを目的とするものである。
【課題を解決するための手段】
【００１２】
本発明にかかるデジタルカメラは、着脱可能な記録媒体に対して撮影画像を記録するデジタルカメラであって、画像を表示する表示手段と、入力操作を行うための操作部材と、前記操作部材に対する操作が行われることによって前記記録媒体に記録された一つの画像に対するプリント設定が行われる都度、前記記録媒体に記録されるプリント注文ファイルを更新するプリント設定記録手段と、前記プリント注文ファイルを読み込み、前記プリント注文ファイルに記録された情報に基づいて、前記表示手段に総プリント枚数を表示させる表示制御手段と、を備えて構成される。
【００１３】
また、本発明にかかるデジタルカメラは、着脱可能な記録媒体に対して撮影画像を記録するデジタルカメラであって、画像を表示する表示手段と、入力操作を行うための操作部材と、前記操作部材に対するプリント設定操作が行われることによって入力する入力情報に基づいて、前記記録媒体に対してプリント注文ファイルを記録するプリント設定記録手段と、プリント設定操作が行われるときに、前記表示手段に対してプリント設定画面を表示し、前記プリント設定画面の表示中に前記記録媒体の交換が行われたときには、前記記録媒体の装着に連動して前記記録媒体に記録された前記プリント注文ファイルを読み込み、当該プリント注文ファイルに記録された情報に基づいて、前記プリント設定画面内に総プリント枚数を表示させる表示制御手段と、を備えて構成される。
【００１４】
上記のようなデジタルカメラにおいては、前記表示制御手段が、前記プリント注文ファイルに記録されるプリント種類ごとの総プリント枚数を、前記表示手段に表示するように構成してもよい。
【００１５】
また、前記表示制御手段は、前記記録媒体の装着に連動して前記プリント注文ファイルを読み込み、画像ごとのプリント情報に基づいて、総プリント枚数を計算するような構成にしてもよい。また、前記表示制御手段は、前記プリント設定画面の表示中に前記記録媒体が抜かれたときにも前記プリント設定画面の表示を継続するような構成にしてもよい。
【００１６】
また、前記プリント設定記録手段は、前記プリント設定画面の表示中に前記記録媒体が抜かれたときには、前記操作部材に対するプリント設定操作を無効にするように構成してもよい。
【００１７】
また、前記表示制御手段は、前記記録媒体が装着されている場合に、前記表示手段に対してプリント設定画面を表示する際には、前記記録媒体に記録されている画像であってプリント設定操作の対象となる画像を、読み出して表示するように構成してもよい。
【００１８】
さらに、前記表示制御手段は、前記記録媒体の装着に連動して、プリント設定操作の対象となる画像を読み出す際、前記記録媒体に画像が記録されていないときには、画像が存在しない旨の警告表示を行うように構成してもよい。
【００１９】
またさらに、本発明にかかるデジタルカメラは、着脱可能な記録媒体に対して撮影画像を記録するデジタルカメラであって、画像を表示する表示手段と、入力操作を行うための操作部材と、前記操作部材に対する操作が行われることによって前記記録媒体に記録された一つの画像に対するプリント設定が行われる都度、前記記録媒体に記録されるプリント注文ファイルを更新するプリント設定記録手段と、前記プリント注文ファイルを読み込み、前記プリント注文ファイルに記録された情報に基づいて、前記表示手段に対し、プリントに要する料金表示を行う表示制御手段と、を備えて構成される。
【００２０】
また、本発明にかかるデジタルカメラは、着脱可能な記録媒体に対して撮影画像を記録するデジタルカメラであって、画像を表示する表示手段と、入力操作を行うための操作部材と、前記操作部材に対するプリント設定操作が行われることによって入力する入力情報に基づいて、前記記録媒体に対してプリント注文ファイルを記録するプリント設定記録手段と、前記プリント設定操作が行われるときに、前記表示手段に対してプリント設定画面を表示し、前記プリント設定画面の表示中に前記記録媒体の交換が行われたときには、前記記録媒体の装着に連動して前記記録媒体に記録された前記プリント注文ファイルを読み込み、当該プリント注文ファイルに記録された情報に基づいて、前記プリント設定画面内に対してプリントに要する料金表示を行う表示制御手段と、を備えて構成される。
【００２１】
上記のようなデジタルカメラにおいては、前記表示制御手段が、プリント注文ファイルに記録されたプリントに関する情報と、前記記録媒体に記録された単価情報とに基づいて、プリントに要する料金を算出するように構成してもよい。
【００２２】
ここで、前記単価情報には、プリント種類ごとに異なる単価が設定されていることが好ましい。
【００２３】
また、前記表示制御手段は、前記プリント設定画面の表示中に前記記録媒体が抜かれたときにも前記プリント設定画面の表示を継続するように構成してもよい。
【００２４】
また、前記プリント設定記録手段は、前記プリント設定画面の表示中に前記記録媒体が抜かれたときには、前記操作部材に対するプリント設定操作を無効にするように構成してもよい。
【００２５】
また、前記表示制御手段は、前記記録媒体が装着されている場合に、前記表示手段に対してプリント設定画面を表示する際には、前記記録媒体に記録されている画像を読み出して表示するように構成してもよい。
【００２６】
さらに、前記表示制御手段は、前記記録媒体の装着に連動して、プリント設定操作の対象となる画像を読み出す際、前記記録媒体に画像が記録されていないときには、画像が存在しない旨の警告表示を行うように構成してもよい。
【００２７】
また、本発明にかかるデジタルカメラは、着脱可能な記録媒体に撮影画像を記録するデジタルカメラであって、画像を表示する表示手段と、入力操作を行うための操作部材と、前記操作部材により前記記録媒体に記録された一つの画像に対するプリント設定が行われる都度、前記記録媒体に記録されるプリント注文ファイルを更新するプリント設定記録手段と、前記プリント注文ファイルを読み込み、前記プリント注文ファイルに記録された情報に基づいて、前記表示手段に注文内容を表示させる表示制御手段と、を備えて構成される。
【００２８】
また、本発明にかかるデジタルカメラは、着脱可能な記録媒体に対して撮影画像を記録するデジタルカメラであって、画像を表示する表示手段と、入力操作を行うための操作部材と、前記操作部材を用いたプリント設定操作により入力する入力情報に基づいて、前記記録媒体にプリント注文ファイルを記録するプリント設定記録手段と、プリント設定操作が行われるときに、前記表示手段にプリント設定画面を表示し、前記プリント設定画面の表示中に前記記録媒体の交換が行われたときには、前記記録媒体の装着に連動して前記記録媒体に記録された前記プリント注文ファイルを読み込み、当該プリント注文ファイルに記録された情報に基づいて、前記プリント設定画面内に注文内容を表示させる表示制御手段と、を備えて構成される。
【発明の効果】
【００２９】
本発明によれば、記録媒体に記録された一つの画像に対してプリント設定が行われる都度、記録媒体に記録されるプリント注文ファイルが更新されるので、プリント設定操作中に記録媒体の交換が行われた場合であっても、それまでに行われたプリント設定操作によるプリント注文ファイルが、抜かれた記録媒体に対しても良好に記録されるようになる。また、一つの画像に対してプリント設定が行われる都度、記録媒体に記録されるプリント注文ファイルが更新されるので、プリント設定操作の途中で、電源電池を消耗し尽くした場合でも、電源電池がなくなる前に、記録媒体にプリント注文ファイルを良好に記録しておくことができる。
【００３０】
また、記録媒体が交換された場合であっても、記録媒体の装着に連動して、そこに記録されたプリント注文ファイルに基づいてプリント設定画面が表示されるので、記録媒体の交換後もプリント設定操作を正常に進めることが可能である。特に、記録媒体に記録されたプリント注文ファイルに基づいて、表示手段に総プリント枚数やプリントに要する料金を表示することにより、記録媒体が交換された後には、交換後の記録媒体に記録されたプリント設定状態を正確に表示手段に表示することができるので、正常にプリント設定操作を継続することができる。
【００３１】
以上のように、本発明によれば、プリント設定操作の途中でも正常に記録媒体の交換を行うことができる。
【発明を実施するための最良の形態】
【００３２】
以下、本発明の実施の形態について図面を参照しつつ詳細に説明する。
【００３３】
＜構成概要＞
図１および図２は、本発明の実施形態に係るデジタルカメラ１の外観構成を示す図である。図１は正面側からみた概略斜視図であり、図２は背面側からみた概略斜視図である。
【００３４】
図１および図２に示すように、デジタルカメラ１は、薄型の略直方体形状を有している。
【００３５】
図１に示すように、デジタルカメラ１は、その正面側に撮影レンズ２と光学ファインダー４とフラッシュ６とを備えており、その上面側に電源ボタン３とシャッタボタン（レリーズボタン）９とマイク１２とを備えている。また、図２に示すように、デジタルカメラ１は、その背面側に液晶表示部（以下、ＬＣＤという。）５とボタン群７，８とモード切替ボタン１１とプリントボタン１３とを備えている。ボタン群７は十字カーソルボタン７ａ〜７ｅ（以下では、７ａを上ボタン、７ｂを下ボタン、７ｃを左ボタン、７ｄを右ボタン、および７ｅを中央(実行)ボタンとも称する）で構成されており、ボタン群８はメニューボタン８ａと液晶モニタボタン８ｂとフラッシュモードボタン８ｃとを有している。さらに、図１および図２に示すように、デジタルカメラ１は、その側方の面に蓋１４とＤＣ入力端子１５とＵＳＢ端子１６とＡＶ出力端子１７とを備えている。
【００３６】
後述するように、デジタルカメラ１は、撮影レンズ２からの被写体像をＣＣＤ（撮像素子）２０（図３）によって光電変換することなどによって、被写体に関する画像データを取得する。
【００３７】
また、電源ボタン３は、電源のオン操作およびオフ操作を受け付けるために用いられる。具体的には、電源ボタン３を押下するごとにオン状態への移行とオフ状態への移行とが交互に繰り返される。
【００３８】
シャッタボタン９はユーザ（操作者）による半押し状態（以下、Ｓ１状態とも称する）と全押し状態（以下、Ｓ２状態とも称する）とを区別して検出可能な２段階押し込みスイッチとなっており、半押し状態（Ｓ１状態）のときに自動合焦制御を開始し、全押し状態（Ｓ２状態）のときに記録用画像を撮影するための本撮影動作を開始する。
【００３９】
ＬＣＤ５は、本撮影動作前のプレビュー表示（ライブビュー表示とも称する）及び記録画像の再生表示等を行う。また、ＬＣＤ５は、所定数（ここでは３２０×２４０）の表示画素を有しており、カラー画像を表示することができる。このＬＣＤ５は、撮影モード（後述）で撮影して記録された撮影画像や各種設定画面等を表示可能な表示部として機能する。
【００４０】
ライブビュー表示では、デジタルカメラ１の電源オン後や本撮影が完了すると、１／３０秒ごとに低解像度で被写体の撮像を繰り返し、撮像画像をＬＣＤ５に動画的態様で表示する。これにより、操作者は、ＬＣＤ５におけるライブビュー表示によって撮影画像における被写体の位置および大きさ等を知覚し、フレーミング動作を行うことができる。なお、ＬＣＤ５を用いることなく光学ファインダー４のみを用いてフレーミング動作を行うことも可能である。
【００４１】
また、モード切替ボタン１１は、これを押下することにより、１コマ撮影モード、連写モード、動画モードおよび再生モードをサイクリックに切り替えられる（図２２参照）。ここで、１コマ撮影モード、連写モードおよび動画モードは、撮影モードに含まれる。この撮影モードとは、静止画又は動画の撮影を行うモードであり、再生モードとは、メモリカードに記録された撮影画像をＬＣＤ５に再生表示するモードである。本実施形態のデジタルカメラ１では、電源ボタン３の押下による電源オン時には撮影モードに設定されているが、モード切替ボタン１１を押下することよって再生モードに切替えることができ、さらにモード切替ボタン１１を押下することにより撮影モードの１コマ撮影モードに移行する。
【００４２】
メニューボタン８ａは、ＬＣＤ５へのメニューの表示および非表示を切り替える機能を有している。たとえば、各動作モードの初期画面においてメニューボタン８ａが押下されるごとに、メニュー画面と非メニュー画面（ライブビューあるいは再生画像等の表示画面）とが交互にＬＣＤ５に表示される。また、ＬＣＤ５に表示されたメニュー画面における表示カーソルは、十字カーソルボタン７ａ〜７ｄを用いて４方向に移動させることができる。さらに、所望の選択肢が選択された状態で実行(中央)ボタン７ｅを押下することによって、その選択肢に対応する設定動作等が実行される。このような操作によって、各種撮影パラメータの設定等を行うことが可能である。
【００４３】
液晶モニターボタン８ｂは、液晶モニタであるＬＣＤ５の表示・非表示を切り替えるためのボタンである。液晶モニターボタン８ｂが押下されるごとに、ＬＣＤ５に画像等が表示された状態（表示状態）と表示されない状態（非表示状態）とが交互に切り替わる。非表示状態にしておけば消費電力を低減できる。
【００４４】
フラッシュモードボタン８ｃは、フラッシュ６のモードを決定するためのボタンである。フラッシュモードボタン８ｃが押下されるごとに、自動発光、強制発光、発光禁止の順序でフラッシュモードが切り替わる。
【００４５】
また、マイク１２は、動画撮影、ボイスメモ、ボイスレコーディング、アフターレコーディング（アフレコ）時において、音声データを取得する（録音する）ために用いられる。
【００４６】
プリントボタン１３は、デジタルカメラの動作モードをプリントモードに移行させるためのボタンである。プリントモードでは、メモリカード９０に記録された撮影画像に対してプリント設定が行われる。
【００４７】
蓋１４は、電池室およびメモリカード装着部を覆う部分に設けられている。言い換えれば、蓋１４の内部側には、電源電池（バッテリ）ＢＴを収容する電池室と、着脱自在な記録媒体（可搬性記録媒体）であるメモリカード９０を装着するメモリカード装着部とが設けられている。電源電池ＢＴおよびメモリカード９０は、それぞれ、電池室およびメモリカード装着部に対して着脱自在に装着される。本撮影によって得られる画像データは、この挿入装着部にセットされるメモリカード９０に記録される。また、デジタルカメラ１は、電源電池ＢＴからの電力供給を受けることもできるし、ＤＣ入力端子１５を用いてＡＣアダプタ（不図示）等からの電力供給を受けることもできる。
【００４８】
ＵＳＢ端子１６は、パーソナルコンピュータ等とのデータ通信を行うための端子である。ＵＳＢ端子１６にＵＳＢ規格のケーブル等を接続することによって外部機器（パーソナルコンピュータ等）とのデータ通信を行うことができる。
【００４９】
ＡＶ出力端子１７は、テレビなどの外部映像音響機器（ＡＶ機器）に接続するための端子である。所定のＡＶコードを用いてこのＡＶ出力端子１７と外部映像音響機器側の入力端子とを接続することによって、その外部映像音響機器に画像および／または音声を出力することができる。
【００５０】
次に、図３を参照しつつ、デジタルカメラ１の内部構成について説明する。図３は、デジタルカメラ１の内部機能を示すブロック図である。
【００５１】
ＣＣＤ（撮像素子）２０は、被写体像を撮影して電子的な画像信号を生成する撮像手段として機能するものであり、例えば１６００×１２００個の画素を有し、撮影レンズ２によって結像された被写体の光像を、画素毎にＲ（赤），Ｇ（緑），Ｂ（青）の色成分の画像信号（各画素で受光された画素信号の信号列からなる信号）に光電変換して出力する。
【００５２】
ＣＣＤ２０から得られる画像信号はアナログ信号処理回路２１に与えられ、アナログ信号処理回路２１において画像信号（アナログ信号）に対して所定のアナログ信号処理が施される。アナログ信号処理回路２１は相関二重サンプリング回路（ＣＤＳ）とオートゲインコントロール回路（ＡＧＣ）とを有しており、相関二重サンプリング回路により画像信号のノイズ低減処理を行い、オートゲインコントロール回路でゲインを調整することにより画像信号のレベル調整を行う。
【００５３】
Ａ／Ｄ変換器２２は、画像信号の各画素信号を１２ビットのデジタル信号に変換するものである。変換後のデジタル信号は、画像データとして一時的にＲＡＭ５０ａ内のバッファメモリ５４に格納される。そして、バッファメモリ５４に保存された画像データに対して、画像処理部５１による、ＷＢ（ホワイトバランス）処理、γ補正処理、および色補正処理等が施された後、圧縮／伸張部５２による圧縮処理等が施される。
【００５４】
また、マイク１２から得られる音声信号は、音声処理部５３に入力される。音声処理部５３に入力された音声信号は音声処理部５３内に設けられたＡ／Ｄ変換器（不図示）によりデジタル信号に変換され、一時的にバッファメモリ５４に格納される。
【００５５】
操作部３０は、上述した電源ボタン３、ボタン群７、８、シャッタボタン９、モード切替ボタン１１等を含む操作部であり、ユーザがデジタルカメラ１の設定状態を変更操作する際や撮影操作を行う際等に用いられる。
【００５６】
電源４０は、デジタルカメラ１に対する電力供給源である。デジタルカメラ１は、リチウムイオン電池などの二次電池を電源電池ＢＴとして用いて駆動される。
【００５７】
全体制御部５０は、内部にＲＡＭ５０ａ及びＲＯＭ５０ｂを備えたマイクロコンピュータによって構成され、マイクロコンピュータが所定のプログラムを実行することにより、上記各部を統括的に制御する。なお、ＲＡＭ５０ａは、高速アクセス可能な半導体メモリ（たとえばＤＲＡＭ）であり、ＲＯＭ５０ｂは電気的にデータの書き換えが可能な不揮発性の半導体メモリ（たとえばフラッシュＲＯＭ）として構成される。また、ＲＡＭ５０ａ内における一部の領域は、一時記憶用のバッファエリアとして機能する。ここでは、このバッファエリアをバッファメモリ５４と称するものとする。バッファメモリ５４は、画像データおよび音声データを一時的に記憶する。
【００５８】
全体制御部５０は、画像処理部５１、圧縮／伸張部５２および音声処理部５３を有している。これらの各処理部５１，５２，５３は、マイクロコンピュータが所定のプログラムを実行することにより実現される機能部である。また、後述するプリントモード時の動作についても、全体制御部５０が所定のプログラムを実行することによって実現される動作である。
【００５９】
画像処理部５１は、ＷＢ処理、γ補正処理等の各種のデジタル画像処理を施す処理部である。ＷＢ処理は、Ｒ，Ｇ，Ｂの各色成分のレベル変換を行い、カラーバランスを調整する処理であり、γ補正処理は、画素データの階調を補正する処理である。圧縮／伸張部５２は、画像データの圧縮処理および伸張処理を行う処理部である。圧縮方式としては、例えばＪＰＥＧ方式などが採用される。音声処理部５３は、音声データに対する各種のデジタル処理を施す処理部である。
【００６０】
このような構成を有する全体制御部５０によって、撮影モード、再生モードおよびプリントモードでの処理が行われる。例えば、撮影モードにおいてシャッターボタン９が操作者によって半押し（Ｓ１状態）されると、ＣＣＤ２０から出力される画像データに基づき自動合焦制御（ＡＦ）のためのＡＦ評価値を求め、周知の山登り方式によって合焦位置に撮影レンズを移動させる。また、ＣＣＤ２０で読みとった被写体の輝度情報に基づいて、本撮影時のシャッタースピードと絞りの値とオートホワイトバランスのゲイン設定値とを決定する。
【００６１】
一方、全体制御部５０は、撮影モードにおいてシャッタボタンが全押し（Ｓ２状態）されると、ＣＣＤ２０の解像度を高解像度に設定した後に被写体を撮像し、ＣＣＤ２０で取得された撮影画像データに基づき圧縮／伸張部５２で圧縮画像を生成する。そして、圧縮された高解像度の画像データは、記録媒体として機能するメモリカード９０に記録されることとなる。このメモリカード９０におけるデータ構造を以下で説明する。
【００６２】
図４は、メモリカード９０のデータ配列を示す図である。メモリカード９０には、デジタルカメラ１によって記録された静止画像および動画像の各コマが順に配列して記憶される。各コマは、ファイル属性ＡＴとタグ情報ＴＧとＪｐｅｇ形式で圧縮された高解像度画像データＨＤ(１６００×１２００画素)とサムネイル表示用のサムネイル画像データＳＤ（３２０×２４０画素)とが記録されている。このファイル属性ＡＴでは、読み取り専用属性(Ｒ)、アーカイブ属性(Ａ)、システムファイル属性(Ｓ)および隠しファイル属性(Ｈ)が設定可能となっている。ユーザによってファイルのプロテクトが設定される場合には、読み取り専用属性が設定されることとなる。また、タグＴＧでは、ファイル名、撮影日時、撮影に使用したデジタルカメラのシリアルナンバーおよび画像データに関連付けされた音声ファイルの情報が記録されている。
【００６３】
また、メモリカード９０には、暗号化されているプリント単価情報が、枚数と単価との関係を記述したテーブルＴＢとして記憶されている。また、プリント単価テーブルＴＢには、プリント種類ごとにプリント単価が規定される。例えば、図４のプリント単価テーブルＴＢを参照すると、プリントサイズがＬ版で９枚以下の場合には、プリント単価が￥４０に設定され、プリントサイズが２Ｌ版で５０枚以上の場合にはプリント単価が￥５０に設定されることとなる。これにより、後述のプリント料金がＬＣＤ５に表示される。なお、メモリカード９０に格納されるプリント単価情報は、予めメモリカード９０に格納されるものであってもよいし、またユーザが操作部３０を操作することによってデジタルカメラ内部でプリント単価情報を生成し、それをメモリカード９０に格納するものであってもよい。また、プリント単価情報は、メモリカード９０ではなく、ＲＡＭ５０ａ等の記憶部に格納されるものであっても構わない。
【００６４】
また、モード切替ボタン１１の押下によって撮影モードから再生モードに移行すると、メモリカード９０内で最も大きなコマ番号の画像つまり直近に撮影された画像のデータが読み出された後、圧縮／伸張部５２でデータ伸張され、ＬＣＤ５に画像表示される。この再生モードでは、左ボタン７ｃ・右ボタン７ｄの押下によりコマの送り・戻しが可能である。
【００６５】
カードインタフェース（カードＩ／Ｆ）６０は、デジタルカメラ１側面の挿入装着部に対して装着されるメモリカード９０への画像データの書込み及び読出しを行うためのインタフェースである。全体制御部５０は、データの書き込みや読み出しがない場合であっても、カードインタフェース６０を介して定期的にメモリカード９０にアクセスする処理を行い、カードインタフェース６０に対するメモリカード９０の装着の有無を定期的に監視するようになっている。
【００６６】
また、全体制御部５０がメモリカード９０に対する画像データの読み書きを行う時には、圧縮／伸張部５２において例えばＪＰＥＧ方式で画像データの圧縮処理又は伸張処理が行われ、カードインタフェース６０を介して画像データがバッファメモリ５４とメモリカード９０との間で送受信される。また、音声データの読み書き時においてもカードインタフェース６０を介して音声データがバッファメモリ５４とメモリカード９０との間で送受信される。
【００６７】
さらに、デジタルカメラ１は、このカードインタフェース６０を用いて、画像および音声等のデータを送受信するだけでなく、デジタルカメラ１で動作するプログラムを取り込むことも可能である。たとえば、メモリカード９０に記録される制御プログラムを、全体制御部５０のＲＡＭ５０ａ又はＲＯＭ５０ｂ内に取り込むことができる。これにより、制御プログラムを更新することなどが可能である。
【００６８】
また、ＵＳＢ端子１６などを介した外部機器（外部コンピュータなど）との通信によっても、画像あるいは音声などの各種のデータ、および制御プログラムなどを送受信することが可能である。たとえば、外部コンピュータの読取装置（光学ドライブ装置等）にセットされた記録媒体（ＣＤ−Ｒ／ＲＷ、ＣＤ−ＲＯＭなど）に記録された各種のデータおよびプログラム等を、ＵＳＢ端子１６を介して取得することが可能である。
【００６９】
＜プリントモードについて＞
プリントボタン１３がユーザによって押下されると、プリント設定を行うためのプリントモードに移行し、ＬＣＤ５にプリント設定画面が表示される。すなわち、プリントボタンに対する操作入力によって撮影モードおよび再生モードとは独立したプリント注文設定を行うためのプリント設定モードに設定される。
【００７０】
プリントモードでは、プリント設定に関するプリント注文ファイルが作成されるが、このプリント注文ファイルについて、まず説明する。
【００７１】
図５は、プリント注文ファイルＰｆを説明するための図である。
【００７２】
メモリカード９０には、撮影画像フォルダＦａ内に複数の画像ファイルＧｆが格納されるとともに、撮影画像フォルダＦａと異なるフォルダＦｂにプリント注文ファイルＰｆが格納されている。
【００７３】
このプリント注文ファイルＰｆは、図６に示すように、一般情報Ｄｆ１、ユーザー情報Ｄｆ２、プリントジョブ情報Ｄｆ３、画像ソース情報Ｄｆ４、各種設定情報Ｄｆ５およびベンダー情報Ｄｆ６で構成されている。ここで、ベンダー情報Ｄｆ６とは、デジタルカメラを製造するメーカー各社で独自に定義される情報である。
【００７４】
以上のプリント注文ファイルＰｆを作成することにより、プリント注文時のユーザーの労力を削減できる。このプリント注文ファイルＰｆにおける各種の情報Ｄｆ１〜Ｄｆ６を設定するためのプリント設定画面を、次で説明する。
【００７５】
図７は、プリント設定画面を説明するための図である。
【００７６】
ＬＣＤ５に表示されるプリント設定画面Ｇｐでは、メモリカード９０から読み出されたプリント設定対象となる撮影画像Ｇｑが表示され、そのプリント対象の画像Ｇｑに重畳して、プリント注文する画像の合計枚数（総プリント枚数）を表示する合計枚数表示Ｇｐ１と、現在ＬＣＤ５に表示されている画像に対するプリント注文枚数をＬＣＤ５の画面の右上（特定部位）に示す注文枚数表示Ｇｐ２とが表示される。すなわち、プリント設定の対象となる撮影画像と、当該撮影画像に対するプリント設定に関する情報と、プリント注文ファイルＰｆに記録された全てのプリント設定に基づく総プリント枚数とがＬＣＤ５に表示されることになる。
【００７７】
一方、プリントボタン１３の押下によってプリントモードに移行するとフラッシュモードボタン８ｃが保留ボタンとして機能し、かつ、液晶モニタボタン８ｂが削除ボタンとして機能することになる。そしてプリント設定画面Ｇｐにおいては、これらの機能が割付けられたことを明示する「保留」表示Ｇｐ３および「削除」表示Ｇｐ４が行われる。
【００７８】
デジタルカメラ１においては、プリントイメージを優先するためにプリントサイズの縦横比に則して画像Ｇｑを表示するが、ＬＣＤ５の画面サイズおよびプリントサイズの縦横比が相違する場合には、例えばＬＣＤ５の画面の両端に余白部分Ｇｐｅ(平行斜線部)を表示して調整される。また、画像Ｇｑに対して撮影した日付の写し込みを行う場合には、写し込まれる画像の部位に例えば「'03／5／7」のような日付表示Ｇｐ５が行われる。
【００７９】
そして、図７に示すプリント設定画面Ｇｐにおいて、右ボタン７ｄまたはプリントボタン１３が押下されることによって、図８に示すように次の画像(コマ)Ｇｒが表示されることとなる(後で詳述)。
【００８０】
次に、プリントモードにおける動作を以下で説明する。
【００８１】
図９〜図１１は、プリント設定画面Ｇｐ(図７)をＬＣＤ５に表示するプリントモードの動作を説明するための図である。ここで、図９はユーザの操作に対する画面遷移の関係を示しており、図１０および図１１は、コマ番号(ｎ)の画像を表示するプリント設定画面ＧＮ１１を中心として他の画面に遷移する様子を示している。以下の説明では、コマ番号(ｎ)の画像を、プリントモードに移行した直後に最後(最大)のコマ番号を有する画像と考えることとする。なお、図１１において、参照符号がＧＮで始まるブロックは表示画面に関する状態を示しており、参照符号がＳＴで始まるブロックは、デジタルカメラ１の動作を示している。
【００８２】
以下では、図９に記載される各項目（１）〜（１１）毎に、図１０および図１１を参照しつつプリントモードの動作を説明する。
【００８３】
(１)左ボタン７ｃが押下されると、プリント設定画面で設定されている設定内容を確定させて、前のコマを表示するプリント設定画面に移行する。この場合には、左ボタン７ｃを押下する前の画像で選択されていたプリント注文枚数が、プリント合計枚数に加算され、合計枚数が更新される。
【００８４】
すなわち、図１１に示すコマ番号(ｎ)の画像を表示するプリント設定画面ＧＮ１１において、左ボタン７ｃが押下された場合には、コマ番号(ｎ)の画像に対するプリント注文の記録処理ＳＴ１２を行い、コマ番号(ｎ−１)の画像のプリント設定画面ＧＮ１２に移行する。
【００８５】
具体的には、例えば、図８に示すようにプリント設定画面Ｇｐが表示される際に、左ボタン７ｃが押下された場合には、図１２に示すように、前のコマに該当する画像ＧｑがＬＣＤ５に表示されるとともに、合計枚数表示Ｇｐ１では、図８の合計枚数表示Ｇｐ１に示す「２１枚」よりも１枚増加した合計枚数「２２枚」が表示される。
【００８６】
このようにデジタルカメラ１では、左ボタン７ｃを押下することが、ＬＣＤ５に表示された画像に対するプリント設定を行うためのプリント設定操作のひとつとなっている。デジタルカメラ１では、操作部３０に対して操作が行われることによってメモリカード９０に記録された一つの撮影画像に対してプリント設定が行われると、それに応答してメモリカード９０に記録されるプリント注文ファイルＰｆ（図５参照）を更新する。なお、プリント設定操作が行われた際に、メモリカード９０にプリント注文ファイルＰｆが存在しない場合には、その時点でプリント注文ファイルＰｆを作成することになる。
【００８７】
そして合計枚数表示Ｇｐ１に対して合計枚数を表示する際には、全体制御部５０がメモリカード９０からプリント注文ファイルＰｆを読み出し、そのファイルに含まれる画像ごとのプリント設定状態に基づいて演算処理を行うことによって合計枚数表示Ｇｐ１を更新させる。
【００８８】
(２)右ボタン７ｄが押下されると、プリント設定画面で設定されている設定内容を確定させて、次のコマを表示するプリント設定画面に移行する。この場合には、右ボタン７ｄを押下する前の画像で選択されていたプリント注文枚数が、プリント合計枚数に加算され、合計枚数が更新されることとなる。
【００８９】
すなわち、図１１に示すコマ番号(ｎ−１)の画像を表示するプリント設定画面ＧＮ１２において、右ボタン７ｄが押下された場合には、プリント注文ファイルＰｆのコマ番号(ｎ−１)の画像に対するプリント注文の記録処理ＳＴ１３を行い、コマ番号(ｎ)の画像のプリント設定画面ＧＮ１１に移行する。
【００９０】
具体的には、例えば、図７に示すようにプリント設定画面Ｇｐが表示される際に、右ボタン７ｄが押下された場合には、図８に示すように、次のコマに該当する画像ＧｒがＬＣＤ５に表示されるとともに、合計枚数表示Ｇｐ１において、図７の合計枚数表示Ｇｐ１に示す「２０枚」よりも１枚増加した合計枚数「２１枚」が表示される。
【００９１】
このため、右ボタン７ｄを押下することもまた、デジタルカメラ１において、ＬＣＤ５に表示された画像に対するプリント設定を行うためのプリント設定操作のひとつとなっている。故に、右ボタン７ｄが押下されてプリント設定画面で設定されている設定内容が確定された時点で、メモリカード９０に記録されるプリント注文ファイルＰｆが更新される。
【００９２】
(３)上ボタン７ａが押下されると、図１０に示すように現在ＬＣＤ５に表示されているコマ(画像)のプリント枚数を増加させる。これにより、プリント枚数表示Ｇｐ２で示される枚数が増加することとなる。
【００９３】
(４)下ボタン７ｂが押下されると、図１０に示すように現在ＬＣＤ５に表示されているコマ(画像)のプリント枚数を減少させる。これにより、プリント枚数表示Ｇｐ２で示される枚数が減少することとなる。なお、プリント枚数のデフォルト値は１枚に設定されており、プリント枚数の下限値は０枚である。
【００９４】
(５)メニューボタン８ａが押下されると、図１０に示すようにプリントメニュー画面(後述)をＬＣＤ５に表示する。
【００９５】
(６)削除ボタン８ｂが押下されると、現在ＬＣＤ５に表示されているコマ(画像)を削除して、次のコマを表示するプリント設定画面に移行する。この削除ボタン８ｂは、撮影された画像データを削除するファンクションキーとして機能する。ただし、削除ボタン８ｂが押下されても、プロテクトがかけられた、具体的には図４に示すファイル属性で読み取り専用属性Ｒに設定された画像の削除は行えないものとする。
【００９６】
例えば、図１１に示すコマ番号(ｎ−１)の画像を表示するプリント設定画面ＧＮ１２において、削除ボタン８ｂが押下された場合には、コマ番号(ｎ−１)の画像に対する削除処理ＳＴ１４を行い、コマ番号(ｎ)の画像を表示するプリント設定画面ＧＮ１１に移行する。
【００９７】
また、図１１に示す最大のコマ番号(ｎ)の画像を表示するプリント設定画面ＧＮ１１において、削除ボタン８ｂが押下された場合には、コマ番号(ｎ)の画像に対する削除処理ＳＴ１１を行った後、その削除処理後の最大コマ番号(ｎ−１)の画像を表示するプリント設定画面ＧＮ１２に移行する。
【００９８】
(７)保留ボタン８ｃが押下されると、現在ＬＣＤ５に表示されているコマ(画像)のプリント枚数を０枚にして、次のコマを表示するプリント設定画面に移行する。
【００９９】
すなわち、図１１に示すコマ番号(ｎ−１)の画像を表示するプリント画面ＧＮ１２において、保留ボタン８ｃが押下された場合には、プリント注文ファイルＰｆにおけるコマ番号(ｎ−１)の画像に関する注文内容をチェックし、プリントの注文枚数が１枚以上であるときには、コマ番号(ｎ−１)の画像に関する注文内容を削除、つまりプリント枚数を０枚に設定する処理ＳＴ１７を行う。そして、コマ番号(ｎ)の画像を表示するプリント設定画面ＧＮ１１に移行する。
【０１００】
また、図１１に示すコマ番号(ｎ)の画像を表示するプリント設定画面ＧＮ１１において、保留ボタン８ｃが押下された場合には、プリント注文ファイルＰｆにおけるコマ番号(ｎ)の画像に関する注文内容をチェックし、プリントの注文枚数が１枚以上であるときには、コマ番号(ｎ)の画像に関する注文内容を削除、つまりプリント枚数を０枚に設定する処理ＳＴ１６を行う。ここでは、コマ番号(ｎ)が最大で次のコマが存在しないため、コマ番号(ｎ)の画像を表示するプリント設定画面ＧＮ１１に復帰する。
【０１０１】
(８)プリントボタン１３が押下されると、プリント設定画面で設定されている設定内容を確定させて、次のコマを表示するプリント設定画面に移行する。
【０１０２】
すなわち、図１１に示すコマ番号(ｎ−１)の画像を表示するプリント設定画面ＧＮ１２において、プリントボタン１３が押下された場合には、コマ番号(ｎ−１)の画像に対する注文処理ＳＴ１３を行い、コマ番号(ｎ)の画像を表示するプリント設定画面ＧＮ１１に移行する。
【０１０３】
具体的には、例えば、図７のプリント設定画面Ｇｐが表示されている時に、プリントボタン１３が押下された場合には、図８に示すように、次のコマに該当する画像ＧｒがＬＣＤ５に表示されるとともに、プリント注文ファイルＰｆが更新され、合計枚数表示Ｇｐ１において、図７の合計枚数表示Ｇｐ１に示す「２０枚」よりも１枚増加した合計枚数「２１枚」が表示される。
【０１０４】
なお、図１１に示すコマ番号(ｎ)の画像を表示するプリント設定画面ＧＮ１１において、プリントボタン１３が押下された場合には、コマ番号(ｎ)の画像に対する注文処理ＳＴ１５を行う。この場合には、コマ番号(ｎ)が最大で次のコマが存在しないため、コマ番号(ｎ)の画像を表示するプリント設定画面ＧＮ１１に復帰する。
【０１０５】
このように、プリントボタン１３を押下することもまた、デジタルカメラ１において、ＬＣＤ５に表示された画像に対するプリント設定を行うためのプリント設定操作のひとつとなっている。
【０１０６】
(９)中央(実行)ボタン７ｅが押下されると、図１０に示すように拡大プリントプレビュー画面Ｇｐｗ（図１３参照）に移行する。拡大プリントプレビュー画面Ｇｐｗでは、表示倍率が１倍の画像Ｇｑが表示されるプリント設定画面Ｇｐ(図７参照)に対して、表示倍率が例えば２倍の画像Ｇｑｗが表示される一方、合計枚数表示Ｇｐ１や注文枚数表示Ｇｐ２などのプリント設定情報の表示はそのまま拡大されずに表示される。この拡大プリントプレビュー画面Ｇｐｗをユーザーが視認することによって、画像の詳細な確認が行える。
【０１０７】
(１０)モード切替ボタン１１が押下されると、図１０に示すようにプリント設定画面から抜けて、例えばＲＡＭ５０ａに記憶されている遷移元モードの情報に基づき、プリント設定画面に移行する前の画面(例えば撮影モードのメニュー画面など)に遷移する。
【０１０８】
(１１)シャッターボタン９が押下されると、図１０に示すように１コマ撮影モードに移行してライブビュー表示が行われる。
【０１０９】
次に、図１１のステップＳＴ１２、ＳＴ１３およびＳＴ１５に関する注文記録動作を説明する。
【０１１０】
図１４は、コマ番号(ｎ)の画像に対するプリント注文記録の動作を示すフローチャートである。
【０１１１】
まず、プリントボタン１３などが押下されると、メモリカード９０内にプリント注文ファイルが存在するかを判定する(ステップＳＰ１)。ここで、プリント注文ファイルが存在する場合には、ステップＳＰ２に進み、存在しない場合にはステップＳＰ４に進む。
【０１１２】
ステップＳＰ２では、注文内容が変更されたかを判定する。例えば上ボタン７ａまたは下ボタン７ｂが押下されることにより、プリント枚数が増加または減少したかを判断する。ここで、注文内容が変更された場合には、ステップＳＰ３に進み、変更されていない場合には、本フローチャートを抜けてプリント注文記録の処理を終了する。
【０１１３】
ステップＳＰ３では、プリント注文対象であるコマ番号(ｎ)の画像の注文内容を、変更された内容によってプリント注文ファイルを更新する。
【０１１４】
ステップＳＰ４では、プリント注文ファイルを新規に作成する。これにより、プリントボタン１３が押下されてプリントモードに移行した場合には、メモリカード９０内にプリント注文ファイルが生成されることとなる。
【０１１５】
ステップＳＰ５では、プリント注文対象であるコマ番号(ｎ)の画像の注文内容をプリント注文ファイルに記録する。
【０１１６】
ステップＳＰ６では、プリント合計枚数を更新する。これにより、プリント注文ファイルに基づいて表示される、プリント設定画面における合計枚数表示Ｇｐ１の総プリント枚数表示などが変更される。
【０１１７】
以上のプリント注文記録の動作により、ＬＣＤ５に表示中の撮影画像に対するプリント設定が行われると、当該プリント設定の内容がメモリカード９０に記録されることになる。
【０１１８】
以上のデジタルカメラ１では、左ボタン７ｃや右ボタン７ｄを押下することによって、所望の各画像について少なくとも１枚のプリント注文を行える。そのため、注文漏れを防止できユーザーの利便性が向上することとなる。
【０１１９】
また、上記のデジタルカメラ１では、プリントモード時のプリント設定画面において、プリント設定対象となっている表示画像を他の画像に変更するための操作や、プリント設定を確定するための操作が、当該表示画像に対するプリント設定を決定するためのプリント設定操作となっている。そしてデジタルカメラ１は、そのようなプリント設定操作が行われる都度、メモリカード９０に記録されるプリント注文ファイルＰｆを更新するように構成されている。そのため、複数の画像に対するプリント設定を行った後、プリントモードの継続中にユーザーがメモリカード９０をデジタルカメラ１から抜き取ったとしても、該メモリカード９０には複数の画像に対するプリント設定情報が良好に記録されたプリント注文ファイルＰｆが格納されることになる。加えて、プリント設定操作の途中に電源電池ＢＴが消耗し尽くされたとしも、それまでのプリント設定操作によるプリント設定がプリント注文ファイルとして、良好にメモリカード９０に記録されることになる。
【０１２０】
次に、プリント設定画面においてメニューボタン８ａが押下されると、図１５に示すプリントメニュー画面Ｇｐｍに遷移するが、このプリントメニュー画面Ｇｐｍについて説明する。
【０１２１】
図１６は、プリントメニュー画面Ｇｐｍに表示される各項目を説明するための図である。以下では、図１６に記載される各項目（１）〜（７）毎に、プリント設定画面の機能を説明する。なお、図１７は異なる表示態様のプリント設定画面を示す図である。
【０１２２】
(１)プリント初期設定が指定されると、ボタン群７を用いてプリント指定に関してデフォルトのプリント枚数またはデフォルトのプリントサイズが選択できる。すなわち、デジタルカメラ１では、デフォルトのプリント設定条件が変更可能となっている。
【０１２３】
(２)日付写し込み位置が指定されると、日付表示Ｇｐ５(図７)に対応するプリント画像への日付写し込み位置に関して、画像(画面)の「左下」、画像の「右下」、または日付写し込みを禁止する「なし」を選択できる。
【０１２４】
(３)日付写し込み形式が指定されると、「YY/M/D」、「YYYY/M/D」または「和暦Y/M/D」の表示形式を選択できる。ただし、日付写し込み位置が「なし」に設定されている場合には、日付写し込み形式の指定を行えない。
【０１２５】
(４)プリント合計枚数が指定されると、「料金を表示」、「枚数を表示」、「サイズ毎の枚数と合計枚数とを表示」または「表示しない」を選択できる。ここで、「料金を表示」が設定されると、図１７(ａ)に示すように、総プリント枚数分のプリントに要する合計料金が求められて、ＬＣＤ５に表示Ｇｐ１１が行われる。また、「枚数を表示」が設定されると、図１７(ｂ)に示すようにＬＣＤ５に合計枚数のみの表示Ｇｐ１２が行われる。また、「サイズ毎の枚数と合計枚数とを表示」が設定されると、図１７(ｃ)に示すようにＬＣＤ５に合計枚数と、Ｌサイズや２Ｌサイズ等といったプリント種類ごとの枚数の表示Ｇｐ１３が行われる。さらに、「表示しない」が設定されると、図１７(ｄ)に示すようにＬＣＤ５に合計枚数の表示を行わない。なお、料金を表示する場合には、たとえばメモリカード９０にあらかじめ記憶された単価情報（図４のプリント単価テーブルＴＢ）に基づき料金を算出するようにしてもよいし、またはユーザが設定入力する単価に基づいて料金を算出するようにしてもよい。
【０１２６】
(５)インデックスプリントが指定されると、インデックスプリントを「する」または「しない」を選択できる。
【０１２７】
(６)プリント設定のオールリセットが指定されると、「実行する」または「中止」が選択できる。ここで、「実行」が選択された場合には、全てのプリント枚数の設定がプリント初期設定で設定されたデフォルト値に戻ることとなる。
【０１２８】
(７)削除画像の復活が指定されると、「実行する」または「中止」が選択できる。ここで、「実行」が選択された場合でも、メモリカードの容量を有効に活用するため、復活できる画像は直前に削除した画像のみとなっている。
【０１２９】
以上説明したように、図１６に示す各項目ごとに設定を行えるが、この具体例としてプリント初期設定およびプリント合計枚数の設定動作を次で説明する。
【０１３０】
図１８は、プリント初期設定の動作を説明するための図である。本図において、参照符号がＧＮで始まるブロックは表示画面に関する状態を示しており、参照符号がＳＴで始まるブロックは、デジタルカメラ１の処理を示している。
【０１３１】
プリント設定画面が表示される状態ＧＮ１５においてメニューボタン８ａが押下されるとプリントメニュー画面Ｇｐｍが表示される状態ＧＮ１６に移行する。この状態ＧＮ１６で「プリント初期設定」を選択して実行(中央)ボタン７ｅを押下すると、デジタルカメラ１はプリント初期設定を行う画面を表示する状態ＧＮ１７に遷移する。
【０１３２】
この表示状態ＧＮ１７では、プリント枚数の初期設定およびプリントサイズの初期設定が行える。例えば、プリント枚数が２枚に設定されると、最初に画像が表示されるプリント設定画面においては、注文枚数表示Ｇｐ２（図７等参照）が「２枚」と表示されることとなる。これにより、初期設定が容易に行えるため、ユーザの利便性が向上する。
【０１３３】
表示状態ＧＮ１７では、上・下ボタン７ａ、７ｂの押下によってプリント枚数の変更が可能であり、左・右ボタン７ｃ、７ｄの押下によってプリントサイズの変更が可能となっている。
【０１３４】
また、表示状態ＧＮ１７において、実行(中央)ボタン７ｅまたはプリントボタン１３が押下されると、初期設定が反映されたプリント設定画面を表示する状態ＧＮ１５に遷移する。一方、保留ボタン８ｃが押下されると、初期設定が反映されないプリント設定画面を表示する状態ＧＮ１５に遷移する。
【０１３５】
図１９および図２０は、プリント合計枚数表示設定の動作を説明するための図である。これらの図において、参照符号がＧＮで始まるブロックは表示画面に関する状態を示しており、参照符号がＳＴで始まるブロックは、デジタルカメラ１の処理を示している。
【０１３６】
プリントメニュー画面Ｇｐｍ(図１５)が表示される状態ＧＮ２０においてメニューボタン８ａが押下された場合には、プリントメニュー画面Ｇｐｍに移行する直前のプリント設定画面（図１７(ａ)〜(ｄ)に示す４種類の画面）のそれぞれに対応するメニュー表示状態ＧＮ２１〜２４に遷移する。このメニュー表示状態ＧＮ２１〜２４では、プリント合計枚数表示などの各表示態様に関する設定を変更できるようになっており、この設定変更は左・右ボタン７ｃ、７ｄを押下することによって行える。
【０１３７】
金額表示が設定が選択される状態ＧＮ２１において、実行(中央)ボタン７ｅが押下されると、図２０に示される、単価設定について「メモリカードから読み取り」を選択する画面を表示する状態ＧＮ２５に遷移する。ここで、実行(中央)ボタン７ｅを押下すると、メモリカード９０に登録された単価情報（登録情報）、つまり図４に示すプリント単価テーブルＴＢを読み取る処理ＳＴ２１を行って、メモリカード９０に登録情報が存在するかを判定する処理ＳＴ２２を行う。この処理ＳＴ２２において、登録情報が存在する場合には、この情報に基づき料金設定内容が表示される状態ＧＮ２７に遷移し、実行(中央)ボタン７ｅの押下で表示内容の更新処理ＳＴ２３が行われる。一方、処理ＳＴ２２において登録情報が存在しない場合には、「メモリカードに料金情報がありません」という警告表示が行われる状態ＧＮ２８に移行する。この状態ＧＮ２８で実行(中央)ボタン７ｅが押下されると状態ＧＮ２６に遷移することとなる。
【０１３８】
一方、状態ＧＮ２５において下ボタン７ｂを押下すると、単価設定について「手動設定」を選択する画面を表示する状態ＧＮ２６に遷移する。ここでは、左・右ボタン７ｃ、７ｄを操作することでプリント一枚あたりの金額を増減できるようになっており、上ボタン７ａが押下されると状態ＧＮ２５に移行する。なお、状態ＧＮ２６では、プリントサイズ等のプリント種類ごとに単価を入力することができるようにしてもよい。
【０１３９】
＜デジタルカメラ１全般の動作について＞
次に、プリントモードと他のモード（撮影モードや再生モード）との関係などデジタルカメラ１全般の動作について、以下で説明する。
【０１４０】
図２１は、デジタルカメラ１の基本的な動作を示す状態遷移図である。
【０１４１】
まず、デジタルカメラ１の電源がオフの状態から電源ボタン３が押下されるとＲＯＭ５０ｂに記憶されている起動時のモードを判別する状態ＳＴ３１に遷移する。なお、デジタルカメラ１の出荷時は撮影モードに設定されている。
【０１４２】
そして、状態ＳＴ３１で判別されたモードが設定される状態ＳＴ３２に移行する。ここで、デジタルカメラ１のモードとしては、上述したプリントモード、撮影モード（１コマ撮影モード、動画モード、連写モード）および再生モードがあるが、モード切替ボタン１１やプリントボタン１３の押下によって、これら５種類のモードの切替えを行える。この状態ＳＴ３２においてメニューボタン８ａが押下された場合には、各モードに応じた各種メニューの設定が行える画面をＬＣＤ５に表示する状態ＳＴ３３に移行する。
【０１４３】
一方、状態ＳＴ３２において、電源ボタン３が押下されると、現在設定されているモードをＲＯＭ５０ｂに記憶する状態ＳＴ３４を経由して、デジタルカメラ１の電源がオフされる。
【０１４４】
次に、上述した５種類のモードのうちプリントモードと他の４種類のモードとの関係を、状態遷移を表す図２２を参照して説明する。
【０１４５】
１コマ撮影モード、連写モード、動画モードおよび再生モードに設定された状態ＧＮ８１〜ＧＮ８４においては、モード切替ボタン１１の押下によってサイクリックにモード切替が行えるようになっている。なお、動画モードに設定された状態ＧＮ８３から再生モードに設定された状態ＧＮ８４に移行する際には、コマ番号の最も大きな撮影画像がＬＣＤ５に表示される。
【０１４６】
１コマ撮影モード、連写モードおよび動画モードに設定された状態ＧＮ８１〜ＧＮ８３において、プリントボタン１３が押下されると、後で詳述するエラーチェックＳＴ４１を経て、プリントモードに設定された状態ＧＮ８５に遷移する。ここで、状態ＧＮ８５に遷移した直後には、メモリカード９０に記録された撮影画像のうち、コマ番号の最も大きな撮影画像がＬＣＤ５に表示される。
【０１４７】
また、再生モードに設定された状態ＧＮ８４において、プリントボタン１３が押下されると、プリントモードに設定された状態ＧＮ８５に遷移する。ここで、状態ＧＮ８５に遷移した直後には、状態ＧＮ８４でＬＣＤ５に表示されていた再生画像と同一の画像が表示される。この状態ＧＮ８４においては、シャッターボタン９が押下された場合にも、１コマ撮影モードの設定状態ＧＮ８１に移行する。
【０１４８】
プリントモードが設定される状態ＧＮ８５において、プリントボタン１３が押下される場合、上述したようにプリント注文内容が更新される処理等が行われるが、プリントモードの設定は維持されることとなる。また、状態ＧＮ８５において、シャッターボタン９が押下される場合には、１コマ撮影モードの設定状態ＧＮ８１に移行する。
【０１４９】
図２３は、上記の状態ＳＴ４１に対応するエラーチェックの動作を示すフローチャートである。
【０１５０】
まず、メモリカード９０に撮影画像が保存されているか否かを判定する（ステップＳＴ５１）。ここで、撮影画像が保存されている場合には、ステップＳＴ５２に進み、保存されていない場合には、ステップＳＴ５３に進む。
【０１５１】
ステップＳＴ５２では、コマ番号の最も大きな撮影画像を指定して画像ファイル（データ）を読み出す。そして、読出しが完了すると、プリントモードの設定状態ＧＮ８５（図２２）に遷移する。なお、ステップＳＴ５２でプリントボタン１３が押下されても、プリントボタン１３を無視してファイル読み出しを続ける。これによって、ファイルが破壊されるのを防止できる。
【０１５２】
ステップＳＴ５３では、エラーチェックＳＴ４５に移行する前の遷移元のモード（１コマ撮影モード、連写モードまたは動画モード）を記憶する。
【０１５３】
ステップＳＴ５４では、「メモリカードに画像がありません」という警告表示をＬＣＤ５で行う。そして、約２秒が経過した場合、又は、実行(中央)ボタン７ｅ、プリントボタン１３及びモード切替ボタン１１のいずれかが押下された場合、それに応答してステップＳＴ５３で記憶した遷移元のモードに復帰する。
【０１５４】
以上のエラーチェックの動作により、メモリカード９０内に撮影画像がない場合にプリントモードに移行するのを防止できる。
【０１５５】
＜プリントモード時のカード交換動作について＞
次に、プリントモード時においてメモリカード９０が交換される際の、デジタルカメラ１の動作について説明する。
【０１５６】
図２４および図２５は、プリントモード時においてＬＣＤ５にプリント設定画面が表示されているときに、ユーザーによってメモリカード９０の交換操作が行われた場合の、デジタルカメラ１の動作を説明する図である。これらの図においても、参照符号がＧＮで始まるブロックは表示画面に関する状態を示しており、参照符号がＳＴで始まるブロックは、デジタルカメラ１の処理を示している。
【０１５７】
図２４におけるプリント設定画面の表示状態ＧＮ６１は、図１７に示される４種類のプリント設定画面（図１７の（ａ）〜（ｄ））のいずれかを表示している状態であり、ユーザがプリントモード下においてプリント設定操作を行っている状態である。この状態ＧＮ６１で、ユーザがメモリカード９０をデジタルカメラ１から抜き取る操作を行うと、デジタルカメラ１は、その直前の表示態様、すなわち４種類のプリント設定画面（図１７の（ａ）〜（ｄ））のうちのいずれの表示態様でプリント設定画面を表示していたかをＲＡＭ５０ａに記憶させる（ステップＳＴ６１）。
【０１５８】
次に、デジタルカメラ１はプリントモード時に、フラッシュモードボタン８ｃに割り当てられた保留ボタンとしての機能、および、液晶モニタボタン８ｂに割り当てられた削除ボタンとしての機能を、無効にする（ステップＳＴ６２）。これにより、デジタルカメラ１にメモリカード９０が装着されていない状態で、フラッシュモードボタン８ｃや液晶モニタボタン８ｂの操作が行われても、それらボタン操作に対応した内部処理は、デジタルカメラ１において実行されなくなる。
【０１５９】
次に、デジタルカメラ１においては、カード未装着の警告画面をＬＣＤ５に表示する状態ＧＮ６２に移行する。この状態ＧＮ６２では、その直前の表示態様に応じて、図２６（ａ）〜（ｄ）に示す４種類の警告表示のうちのいずれかが表示される。
【０１６０】
具体的には、メモリカード９０が抜かれる直前のプリント設定画面に、総プリント枚数分のプリントに要する合計料金の表示Ｇｐ１１（図１７（ａ））が表示されていた場合には、カードが抜かれた状態ＧＮ６２においても、表示Ｇｐ１１が表示された警告画面（図２６（ａ））が表示される。ただし、この警告表示（図２６（ａ））では、カードが抜かれる直前の合計金額表示や個別の設定枚数表示は無効にされ、それらの表示欄には例えば「−」等の記号が表示される。
【０１６１】
また、メモリカード９０が抜かれる直前のプリント設定画面に、総プリント枚数に相当する合計枚数の表示Ｇｐ１２（図１７（ｂ））が表示されていた場合には、状態ＧＮ６２においても、表示Ｇｐ１２が表示された警告画面（図２６（ｂ））が表示される。ただし、この警告表示（図２６（ｂ））でも、カードが抜かれる直前の合計枚数表示等は無効にされた状態で表示される。
【０１６２】
また、メモリカード９０が抜かれる直前のプリント設定画面に、総プリント枚数に相当する合計枚数と、Ｌサイズや２Ｌサイズ等といったプリント種類ごとの枚数とを表示するための表示Ｇｐ１３（図１７（ｃ））が表示されていた場合には、状態ＧＮ６２において、表示Ｇｐ１３が表示された警告画面（図２６（ｃ））が表示される。ただし、この警告表示（図２６（ｃ））でも、カードが抜かれる直前の枚数表示等は無効にされた状態で表示される。
【０１６３】
さらに、メモリカード９０が抜かれる直前のプリント設定画面が合計枚数や合計料金等を表示していない画面であった場合には、状態ＧＮ６２においても、表示Ｇｐ１１〜Ｇｐ１３などが表示されない警告画面（図２６（ｄ））が表示される。なお、この警告表示（図２６（ｄ））でも、カードが抜かれる直前の個別の枚数表示が無効にされることは、上記と同様である。
【０１６４】
以上のように、ＬＣＤ５に警告画面が表示される状態ＧＮ６２では、カードが抜かれる直前の表示状態が引き継がれた表示態様で警告表示がなされる。より具体的には、メモリカード９０が装着されていないことから、プリント設定画面には、プリント設定対象の撮影画像が表示されず、プリント設定用の各表示欄のみが表示されることとなり、警告文等が撮影画像を表示すべき領域に表示された警告表示がなされる。
【０１６５】
そしてユーザーは、上記のような警告画面（図２６（ａ）〜（ｄ））が表示されている状態ＧＮ６２において、メモリカード９０をデジタルカメラ１に装着する。このとき装着されるメモリカード９０は、抜かれたメモリカードと異なるものであってもよいし、同一のものであってもよい。
【０１６６】
デジタルカメラ１においてメモリカードの装着が検知されると、全体制御部５０は装着されたメモリカード９０にアクセスし、撮影画像が記録されているか否かを判定する（ステップＳＴ６３）。ここで、メモリカード９０に撮影画像が全く記録されていない場合には（ステップＳＴ６３でＮｏ）、メモリカード９０に対してプリント設定ができないため、画像が未記録である旨を示す警告画面を表示する状態ＧＮ６３に移行する。
【０１６７】
図２７は、状態ＧＮ６３でＬＣＤ５に表示される画面の一例を示す図である。状態ＧＮ６３では、メモリカードが抜かれる直前の表示態様に応じて、図２７（ａ）〜（ｄ）に示す４種類の警告表示のうちのいずれかが表示される。
【０１６８】
図２７（ａ）の表示画面は、メモリカード９０が抜かれる直前のプリント設定画面に、総プリント枚数分のプリントに要する合計料金の表示Ｇｐ１１（図１７（ａ））が表示されていた場合に表示される画面である。また、図２７（ｂ）の表示画面は、メモリカード９０が抜かれる直前のプリント設定画面に、総プリント枚数に相当する合計枚数の表示Ｇｐ１２（図１７（ｂ））が表示されていた場合に表示される画面である。また、図２７（ｃ）の表示画面は、メモリカード９０が抜かれる直前のプリント設定画面に、総プリント枚数に相当する合計枚数と、Ｌサイズや２Ｌサイズといったプリント種類毎の枚数とを表示するための表示Ｇｐ１３（図１７（ｃ））が表示されていた場合に表示される画面である。さらに図２７（ｄ）の表示画面は、メモリカード９０が抜かれる直前のプリント設定画面に、合計枚数や合計料金等が表示されていなかった場合に表示される画面である。つまり、状態ＧＮ６３における画像未記録を示す警告状態でも、状態ＧＮ６２と同様に、カードが抜かれる直前の表示状態が引き継がれた表示態様で警告表示がなされる。この場合においても、メモリカード９０には撮影画像が記録されていないことから、プリント設定画面には、プリント設定対象の撮影画像が表示されず、プリント設定用の各表示欄のみが表示されることとなり、警告文等が撮影画像を表示すべき領域に表示された警告表示がなされる。
【０１６９】
ユーザは警告状態ＧＮ６３における警告画面表示により、あらたに挿入したメモリカード９０に対してプリント設定操作を行うことができないことを把握することができ、メモリカードの交換操作やプリントモードの終了操作等を行うことで、警告状態ＧＮ６３を終了させることができる。
【０１７０】
一方、ステップＳＴ６３において、装着されたメモリカード９０に少なくとも１枚の撮影画像が記録されていた場合には（ステップＳＴ６３にてＹｅｓ）、ステップＳＴ６４に進み、装着されたメモリカード９０に既にプリント注文ファイルが記録されているか否かを判定する。ここで、メモリカード９０にプリント注文ファイルが記録されていない場合には（ステップＳＴ６４でＮｏ）、メモリカード９０から最もコマ番号の大きな画像ファイルを読み出し（ステップＳＴ６５）、ステップＳＴ６２で無効にした、フラッシュモードボタン８ｃの保留ボタンとしての機能、および、液晶モニタボタン８ｂの削除ボタンとしての機能を、再び有効にして（ステップＳＴ６６）、プリント設定画面の初期画面に移行する（状態ＧＮ６４）。
【０１７１】
図２８は状態ＧＮ６４においてＬＣＤ５に表示される画面の一例を示す図である。状態ＧＮ６４では、メモリカードが抜かれる直前の表示態様に応じて、図２８（ａ）〜（ｄ）に示す４種類の警告表示のうちのいずれかが表示される。
【０１７２】
図２８（ａ）の表示画面は、メモリカード９０が抜かれる直前のプリント設定画面に、総プリント枚数分のプリントに要する合計料金の表示Ｇｐ１１（図１７（ａ））が表示されていた場合に表示される画面である。また、図２８（ｂ）の表示画面は、メモリカード９０が抜かれる直前のプリント設定画面に、総プリント枚数に相当する合計枚数の表示Ｇｐ１２（図１７（ｂ））が表示されていた場合に表示される画面である。また、図２８（ｃ）の表示画面は、メモリカード９０が抜かれる直前のプリント設定画面に、総プリント枚数に相当する合計枚数と、Ｌサイズや２Ｌサイズといったプリント種類毎の枚数とを表示するための表示Ｇｐ１３（図１７（ｃ））が表示されていた場合に表示される画面である。さらに図２８（ｄ）の表示画面は、メモリカード９０が抜かれる直前のプリント設定画面に、合計枚数や合計料金等が表示されていなかった場合に表示される画面である。つまり、状態ＧＮ６４におけるプリント設定画面の初期画面でも、状態ＧＮ６２及びＧＮ６３と同様に、カードが抜かれる直前の表示状態が引き継がれた表示態様で画面表示がなされる。
【０１７３】
また状態ＧＮ６４では、図２８（ａ）〜（ｂ）に示すように、メモリカード９０から読み出された撮影画像が画面内に表示され、該撮影画像に対するプリント設定操作を受け付けるようになる。メモリカード９０にはプリント注文ファイルが未記録であるので、各表示欄Ｇｐ１１、Ｇｐ１２、Ｇｐ１３にはプリント設定が未設定であることを示す「０」の数値が表示される。例えば、合計枚数表示が０枚、合計金額表示が￥０として表示される。ユーザーは表示欄Ｇｐ１１、Ｇｐ１２、Ｇｐ１３における「０」の表示を視認することで、メモリカード９０に記録された画像に対するプリント設定が未設定であることを認識できる。
【０１７４】
次に、ステップＳＴ６４においてメモリカード９０にプリント注文ファイルが既に記録されていると判定されると（ステップＳＴ６４でＹｅｓ）、そのプリント注文ファイルを読み取る処理が行われる（ステップＳＴ６７）。そして、プリント注文ファイルに含まれるプリント設定情報に基づいて、全体制御部５０が、プリント設定済みの合計枚数を算出する処理を行う（ステップＳＴ６８）。
【０１７５】
図２５に移り、次に全体制御部５０は料金表示が必要か否かを判定する（ステップＳＴ６９）。この判定は、カードが抜かれる直前の表示状態において料金表示が行われていたか否かを、ＲＡＭ５０ａに記憶した情報に基づいて判定することにより行われる。そして料金表示が必要でない場合（ステップＳＴ６９にてＮｏ）、メモリカード９０から最もコマ番号の大きな画像ファイルを読み出し（ステップＳＴ７０）、ステップＳＴ６２で無効にした、フラッシュモードボタン８ｃの保留ボタンとしての機能、および、液晶モニタボタン８ｂの削除ボタンとしての機能を、再び有効にして（ステップＳＴ７１）、プリント設定画面に移行する（状態ＧＮ６５）。
【０１７６】
一方、料金表示が必要な場合（ステップＳＴ６９にてＹｅｓ）には、メモリカード９０に単価情報（登録情報）が記録されているか否かを判断し（ステップＳＴ７２）、記録されていればメモリカード９０から単価情報を読み取る（ステップＳＴ７４）。また、メモリカード９０に単価情報（登録情報）が記録されていない場合には、たとえば、ユーザーによる単価情報の設定入力操作を受け付け、ユーザーによって設定された単価情報を採用する（ステップＳＴ７３）。
【０１７７】
そして全体制御部５０が、上記のようにして得られる単価情報と、プリント注文ファイルに記録された情報と、に基づいて演算処理を行うことにより、プリント注文ファイルに記録されたプリント設定状況に応じたプリントを行うのに要する料金を算出する（ステップＳＴ７５）。
【０１７８】
そしてメモリカード９０から最もコマ番号の大きな画像ファイルを読み出し（ステップＳＴ７６）、ステップＳＴ６２で無効にした、フラッシュモードボタン８ｃの保留ボタンとしての機能、および、液晶モニタボタン８ｂの削除ボタンとしての機能を、再び有効にして（ステップＳＴ７７）、プリント設定画面に移行する（状態ＧＮ６６）。
【０１７９】
図２９は、状態ＧＮ６５及びＧＮ６６においてＬＣＤ５に表示される画面の一例を示す図である。状態ＧＮ６５及びＧＮ６６では、メモリカードが抜かれる直前の表示態様に応じて、図２９（ａ）〜（ｄ）に示す４種類の警告表示のうちのいずれかが表示される。すなわち、状態ＧＮ６６では、図２９（ａ）に示すプリント設定画面が表示され、状態ＧＮ６５では、メモリカードが抜かれる直前の表示態様に応じて、図２９（ｂ）〜（ｄ）のいずれかのプリント設定画面が表示される。
【０１８０】
図２９（ａ）の表示画面においては、合計料金の表示欄Ｇｐ１１に、メモリカード９０に記録されたプリント注文ファイルの情報に基づいてステップＳＴ７５で算出されたプリントに要する料金が表示される。図２９（ｂ）の表示画面においては、合計枚数の表示欄Ｇｐ１２に、メモリカード９０に記録されたプリント注文ファイルの情報に基づいてステップＳＴ６８で算出された合計枚数が表示される。図２９（ｃ）の表示画面においては、ステップＳＴ６８で算出された、合計枚数と、プリント種類ごとのプリント枚数とが表示される。
【０１８１】
したがって、状態ＧＮ６５及びＧＮ６６におけるプリント設定画面でも、カードが抜かれる直前の表示状態が引き継がれた表示態様で画面表示がなされる。また状態ＧＮ６５及びＧＮ６６のいずれにおいても、図２９（ａ）〜（ｄ）に示すように、メモリカード９０から読み出された撮影画像が画面内に表示され、該撮影画像に対するプリント設定操作を受け付けるようになる。
【０１８２】
状態ＧＮ６４、ＧＮ６５及びＧＮ６６のそれぞれにおいて、カード交換が行われた場合には、再び状態ＧＮ６１からの遷移動作を行うことになる。
【０１８３】
以上のように、本実施形態のデジタルカメラ１は、プリントモード時にＬＣＤ５に対してプリント設定画面を表示し、そのプリント設定画面に総プリント枚数やプリントに要する料金を表示することができるようになっている。このため、ユーザは任意の時点において、メモリカード９０に対してそれまでに設定された総合的なプリント設定の状態（合計枚数やプリント料金等）を容易に把握することができるようになっている。
【０１８４】
そして、プリントモード時のＬＣＤ５にプリント設定画面が表示されているときに、メモリカード９０の交換が行われた場合、プリント設定画面の表示を継続し、メモリカード９０の装着に連動して、装着されたメモリカード９０からプリント注文ファイルを読み込み、そのプリント注文ファイルに記録された情報に基づいて、プリント設定画面に総プリント枚数や合計料金の表示を行うように構成されている。したがって、メモリカードの交換を行う前後で同じプリント設定画面を参照しつつ、プリント設定操作を継続することができるとともに、プリント設定画面には常にデジタルカメラ１に装着されているメモリカード９０の情報が表示されるので、プリント設定操作時に誤操作が生じることを防止でき、操作性が向上する。
【０１８５】
また、デジタルカメラ１はメモリカード９０が抜かれた状態にあるときでも、プリント設定画面の表示を継続しており、プリントモードを継続しているので、ユーザーはデジタルカメラ１がプリントモードで動作していることを把握できる。
【０１８６】
また、デジタルカメラ１からメモリカード９０が抜かれているとき、または装着されたメモリカード９０に撮影画像が記録されていないときには、プリント設定画面にプリント設定対象の画像が表示されず、警告表示が行われるようになっているので、ユーザーはプリント設定操作を行うことができないことを容易に把握することができる。
【０１８７】
また、デジタルカメラ１は、メモリカード９０が抜かれたときには、プリント設定操作を行うための操作部３０の機能を無効にするので、メモリカード９０が抜かれた状態にあるときに、ユーザーによるプリント設定操作が行われた場合でも、不正なアクセス動作等が行われることを防止することができる。
【０１８８】
＜変形例＞
以上、本発明の実施の形態について説明したが、本発明は上述した内容のものに限定されるものではない。
【０１８９】
たとえば、上記においては、日本仕様のデジタルカメラ１を例示したため、表示欄Ｇｐ１１（図１７（ａ）等）に料金を表示する際、日本円で料金を表示する場合を例示した。しかし、デジタルカメラ１を外国仕様、たとえばアメリカ仕様として製品化する際には、表示欄Ｇｐ１１にＵＳドルで料金を表示するように実現することがより好ましい。
【０１９０】
また、上記においては、記録媒体がメモリカードである場合を例示した。しかし、記録媒体は、これに限定されるものではなく、磁気記録装置等が内蔵された小型磁気ディスクカード等のような他の記録媒体であっても構わない。
【図面の簡単な説明】
【０１９１】
【図１】本発明の実施形態に係るデジタルカメラの外観構成を示す図である。
【図２】デジタルカメラの外観構成を示す図である。
【図３】デジタルカメラの内部構成を示す図である。
【図４】メモリカードのデータ配列を示す図である。
【図５】プリント注文ファイルを説明するための図である。
【図６】プリント注文ファイルを説明するための図である。
【図７】プリント設定画面を説明するための図である。
【図８】プリント設定画面を説明するための図である。
【図９】プリントモードにおける動作を説明するための図である。
【図１０】プリントモードにおける動作を説明するための図である。
【図１１】プリントモードにおける動作を説明するための図である。
【図１２】プリントモードにおける動作を説明するための図である。
【図１３】拡大プリントプレビュー画面を説明するための図である。
【図１４】プリント注文記録の動作を示すフローチャートである。
【図１５】プリントメニュー画面を説明するための図である。
【図１６】プリントメニュー画面に表示される各項目を説明するための図である。
【図１７】プリント合計枚数に関する表示を説明するための図である。
【図１８】プリント初期設定の動作を説明するための図である。
【図１９】プリント合計枚数表示設定の動作を説明するための図である。
【図２０】プリント合計枚数表示設定の動作を説明するための図である。
【図２１】デジタルカメラの基本的な動作を示す状態遷移図である。
【図２２】プリントモードと他の４種類のモードとの関係を説明するための図である。
【図２３】エラーチェックの動作を示すフローチャートである。
【図２４】メモリカードの交換操作が行われた場合の、デジタルカメラの動作を説明する図である。
【図２５】メモリカードの交換操作が行われた場合の、デジタルカメラの動作を説明する図である。
【図２６】メモリカード未装着時の警告画面を示す図である。
【図２７】メモリカードに撮影画像が記録されていない場合の警告画面を示す図である。
【図２８】メモリカードにプリント注文ファイルが記録されていない場合のプリント設定画面を示す図である。
【図２９】メモリカードにプリント注文ファイルが記録されている場合のプリント設定画面を示す図である。
【符号の説明】
【０１９２】
１  デジタルカメラ
５  ＬＣＤ（表示手段）
３０  操作部（操作部材）
５０  全体制御部（プリント設定記録手段、表示制御手段）
９０  メモリカード（記録媒体）
【図１】
2005218015.tif 000003
【図２】
2005218015.tif 000004
【図３】
2005218015.tif 000005
【図４】
2005218015.tif 000006
【図５】
2005218015.tif 000007
【図６】
2005218015.tif 000008
【図７】
2005218015.tif 000009
【図８】
2005218015.tif 000010
【図９】
2005218015.tif 000011
【図１０】
2005218015.tif 000012
【図１１】
2005218015.tif 000013
【図１２】
2005218015.tif 000014
【図１３】
2005218015.tif 000015
【図１４】
2005218015.tif 000016
【図１５】
2005218015.tif 000017
【図１６】
2005218015.tif 000018
【図１７】
2005218015.tif 000019
【図１８】
2005218015.tif 000020
【図１９】
2005218015.tif 000021
【図２０】
2005218015.tif 000022
【図２１】
2005218015.tif 000023
【図２２】
2005218015.tif 000024
【図２３】
2005218015.tif 000025
【図２４】
2005218015.tif 000026
【図２５】
2005218015.tif 000027
【図２６】
2005218015.tif 000028
【図２７】
2005218015.tif 000029
【図２８】
2005218015.tif 000030
【図２９】
2005218015.tif 000031